(57)【要約】【課題】面会謝絶のような状態にある患者に対して静かな環境を提供できる。【解決手段】患者識別情報と子機識別情報と各患者が面会謝絶のような特定の状態にあるか否かを示す患者状態情報とを関連付けて記憶部１３に記憶する。そして、ナースコール親機１０の一斉放送操作部１５の操作により一斉放送を行った場合に、音声入力部１６により一斉放送の音声を入力し、面会謝絶のような特定の状態では無い患者状態情報に関連付けて記憶部１３に記憶されている子機識別情報によって特定されるナースコール子機１に対してのみ入力した音声を出力するようにしている。これにより、面会謝絶のような特定の状態の患者以外の患者に対してのみ一斉放送が行われるので、面会謝絶のような特定の状態の患者に対しては一斉放送が行われなくなり、静かな環境を提供することができる。【選択図】図１
2015188560.tif 000002
【特許請求の範囲】
【請求項１】
各ベッドの近傍に設置され、医療従事者を呼び出すために操作される呼出操作部と、前記呼出操作部が操作された場合に自装置を他の装置と識別するための子機識別情報を含む呼出信号を生成する子機制御部と、一斉放送の音声を示す一斉放送音声信号を外部から入力する子機インターフェースと、前記一斉放送音声信号を音声に変換して周辺に出力する音声出力部とを有するナースコール子機と、
周囲の音声を入力して音声信号として出力する音声入力部と、前記ナースコール子機を使用する患者が面会謝絶のような特定の状態にあるかどうかを示す患者状態情報を外部から入力するとともに、前記呼出信号を入力し、前記音声入力部から出力された音声信号を前記ナースコール子機に出力する親機インターフェースと、呼び出し発生したことを報知する報知部と、一斉放送を行う際に操作される一斉放送操作部と、親機インターフェースが前記患者状態情報を入力した場合に、その患者状態情報に該当する患者を特定するための患者識別情報、および、その患者識別情報によって特定される患者が使用しているナースコール子機の子機識別情報を関連付けて記憶する記憶部と、前記インターフェースが呼出信号を入力した場合に前記報知部を動作させるとともに、前記一斉放送操作部が操作された場合に、前記音声入力部を動作させ、前記記憶部を参照して、面会謝絶のような特定の状態にない患者状態情報に関連付けて記憶されている子機識別情報により特定されるナースコール子機に対して、前記音声入力部から出力された音声信号を前記親機インターフェースにより出力する制御部とを有するナースコール親機と、
を備えたナースコールシステム。
【発明の詳細な説明】
【技術分野】
【０００１】
本発明は、患者が看護師などの医療従事者を呼び出すためのナースコールシステムに関し、特に、医療従事者から特定の患者に対して一斉放送を行うことができるナースコールシステムに関する。
【背景技術】
【０００２】
一般に、病院などの施設では、ナースコールシステムが用いられている。ナースコールシステムは、病院に入院している患者が看護師や医師などの医療従事者（以下、単に医療従事者と記載する）のサポートを必要とする際に、患者がナースコール子機の呼出操作部を操作することによって医療従事者を呼び出すことができるように成されたシステムである。
【０００３】
多くのナースコールシステムは、病室のベッド近傍やトイレ、浴室などに設置されるナースコール子機と、ナースステーションに設置されるナースコール親機と、病室の入口付近に設置される廊下灯と、通話やデータの送受信に関する制御を行う制御機とを備えて構成されている。また、上述した構成に加えて、医療従事者が携行する携帯端末（例えば、ＰＨＳ（Personal Handy phone System）端末など）とＰＢＸ（Private Branch Exchange：電話交換機）とを備えたナースコールシステムも提供されている。
【０００４】
このようなナースコールシステムは、患者がナースコール子機の呼出操作部を操作した場合に、ナースコール子機からナースコール親機へ呼出信号を出力し、呼出信号を入力したナースコール親機にてスピーカから報知音を鳴らしたり、患者毎に設けたランプを点灯／点滅させたり、ディスプレイに呼び出しが行われたことを表示させたりして、呼び出しの発生を報知するようにしている。
【０００５】
また、このようなナースコールシステムでは、医療従事者がナースコール親機を使用して、ナースコール子機を使用している全ての患者に対して一斉放送を行う機能や、ナースコール子機を使用している全ての患者の中から特定の患者を選択して、選択した患者に対して個別放送（以下、一斉放送および個別放送をまとめて一斉放送と記載する）を行う機能が一般的に搭載されている（例えば、特許文献１を参照）。この場合、各ナースコール子機はスピーカを備えており、スピーカから一斉放送の放送内容が音声として出力される。
【０００６】
ところで、患者が寝ているような時間帯では、患者に対して静かな環境を提供するため、ナースコール親機にて一斉放送のための操作が行われても、これを無効とする技術が知られている（例えば、特許文献２を参照）。
【０００７】
しかしながら、特許文献１に記載の技術では、選択した患者に対して一斉放送を行うため、面会謝絶のような特定の状態にある患者に対して静かな環境を提供する際に、そのような患者に対して一斉放送を行わないようにする場合、特定の状態にある患者以外の患者を選択してから一斉放送を行う必要が生じ、選択操作の手間がかかったり、選択操作をミスしたりして不適切に一斉放送が行われてしまうことがあった。
【０００８】
また、特許文献２に記載の技術では、患者が寝ているような時間帯において一斉放送を無効にしているため、特定の状態にある患者に対してすべての時間帯で一斉放送を無効にすることができなくなってしまうという問題があった。
【先行技術文献】
【特許文献】
【０００９】
【特許文献１】特開平１１−２９０３９９号公報
【特許文献２】特開２００９−８１５５３号公報
【発明の概要】
【発明が解決しようとする課題】
【００１０】
本発明は、これらの問題を解決するために成されたものであり、面会謝絶のような特定の状態にある患者に対して静かな環境を提供することができるようにすることを目的とする。
【課題を解決するための手段】
【００１１】
上述した課題を解決するために、本発明では、一斉放送の音声を出力可能なナースコール子機を各患者の近傍に設置し、患者を他の患者と識別するための患者識別情報と、ナースコール子機を他のナースコール子機と識別するための子機識別情報とを関連付けて記憶しておくとともに、各患者が面会謝絶のような特定の状態にあるか否かを示す患者状態情報を取得して患者識別情および子機識別情報に関連付けて記憶する。そして、ナースコール子機に接続されたナースコール親機にて一斉放送を行った場合に、一斉放送の音声を入力するとともに、面会謝絶のような特定の状態には無い患者状態情報に関連付けて記憶されている子機識別情報によって特定されるナースコール子機に対して入力した音声を出力するようにしている。
【発明の効果】
【００１２】
上記のように構成した本発明によれば、面会謝絶のような特定の状態の患者以外の患者に対してのみ一斉放送が行われるので、面会謝絶のような特定の状態の患者に対しては一斉放送が行われなくなり、静かな環境を提供することができる。
【図面の簡単な説明】
【００１３】
【図１】本実施形態によるナースコールシステムの構成例を示すブロック図である。
【発明を実施するための形態】
【００１４】
以下、本発明の一実施形態を図面に基づいて説明する。図１は、本実施形態によるナースコールシステムの構成例を示すブロック図である。図１において、１はナースコール子機であり、各患者のベッドの近傍などに設置されており、患者が医療従事者を呼び出す際に使用されるとともに、患者が一斉放送を聞く際に使用される。ここで、ナースコール子機１は、子機制御部２、呼出操作部３、子機インターフェース４、音声出力部５を備えて構成されている。
【００１５】
１０はナースコール親機であり、医療従事者が常駐するナースステーションなどに設置されており、医療従事者によって使用される。ここで、ナースコール親機１０は、制御部１１、親機インターフェース１２、記憶部１３、報知部１４、一斉放送操作部１５、音声入力部１６を備えて構成されている。また、ナースコール親機１０には、複数のナースコール子機１が接続されている。また、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との間の通信の制御を行う。なお、周知のナースコールシステムと同様に、医療従事者が携行する携帯端末とＰＢＸとをナースコール親機１０に連動するようにしても良い。
【００１６】
２０は患者状態情報出力装置であり、患者が面会謝絶のような特定の状態であるかどうかを示す患者状態情報を格納している。ここで、患者状態情報出力装置２０は、周知の電子カルテや周知の看護支援システムなどにより構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、ナースコール子機１の筐体に取り付けられており、患者が医療従事者を呼び出す際に、患者によって操作される。
【００１８】
子機インターフェース４は、ナースコール子機１とナースコール親機１０とを接続して通信を行うためのものである。音声出力部５は、ナースコール子機１の筐体に取り付けられており、一斉放送の音声を出力したり、ナースコール子機１とナースコール親機１０との間で通話路が形成されている際の音声を出力したりするためのものである。
【００１９】
ここで、呼出操作部３が操作されると、子機制御部２は呼出信号を生成し、子機インターフェース４は、子機制御部２にて生成された呼出信号をナースコール親機１０へ出力する。また、呼出信号には、ナースコール子機１を他のナースコール子機１と識別するための子機識別情報（例えば、ベッド番号などの情報）が含まれている。
【００２０】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力するとともに、患者状態情報出力装置２０から患者状態情報を取得する。また、親機インターフェース１２は、一斉放送の音声を示す一斉放送音声信号をナースコール子機１に出力する。
【００２１】
記憶部１３はメモリやハードディスクなどの記憶装置により構成されており、子機識別情報と、その子機識別情報により特定されるナースコール子機１を使用する患者の患者識別情報と、その患者の患者状態情報とを関連付けて記憶している。ここで、患者識別情報としては、患者の氏名などの情報が用いられる。
【００２２】
報知部１４は、スピーカやランプ、ディスプレイなどにより構成されており、患者からの呼び出しの発生を報知するためのものである。親機インターフェース１２が呼出信号を入力すると、制御部１１は記憶部１３を参照して、呼出信号に含まれる子機識別情報に関連付けて記憶されている患者識別情報を抽出する。そして、制御部１１は、報知部１４を動作させて、抽出した患者識別情報によって特定される患者が呼び出しを行っていることを、スピーカからの音声の出力やランプの点灯／点滅、ディスプレイの表示などにより報知するようにしている。
【００２３】
一斉放送操作部１５は、面会謝絶のような特定の状態の患者を除くすべての患者の使用するナースコール子機１に対して一斉放送を行う際に医療従事者により操作されるものであり、ボタンなどにより構成されている。音声入力部１６は、ハンドセットやマイクなどにより構成されており、周囲の音声を入力して音声信号を生成する。ここで、医療従事者は、音声入力部１６により一斉放送の音声を入力する。
【００２４】
このように構成されたナースコールシステムにおいて、医療従事者が一斉放送操作部１５を操作すると、制御部１１は音声入力部１６を動作させる。また、制御部１１は記憶部１３を参照して、患者状態情報が面会謝絶のような特定の状態ではないものを抽出し、抽出した患者状態情報に関連付けて記憶されている子機識別情報により特定されるナースコール子機１に対して、音声入力部１６にて生成された音声信号を親機インターフェース１２により出力する。
【００２５】
ここで、特定のナースコール子機１に対してのみ音声信号を出力する方法としては、当該音声信号に音声信号を入力すべきナースコール子機１の子機識別情報を付加し、各ナースコール子機１にて自装置と同じ子機識別情報を含む音声信号のみを入力するようにすれば良い。
【００２６】
音声信号を入力したナースコール子機１では、子機インターフェース４にて入力した音声信号を音声出力部５により音声に変換してナースコール子機の周辺に出力する。すると、ナースコール子機１の近傍に居る患者は、音声出力部５から出力される音声を聞くことができる。
【００２７】
以上詳しく説明したように、本実施形態によれば、一斉放送の音声を出力可能なナースコール子機１を各患者の近傍に設置し、患者を他の患者と識別するための患者識別情報と、ナースコール子機１を他のナースコール子機１と識別するための子機識別情報とを関連付けて記憶部１３に記憶しておく。また、各患者が面会謝絶のような特定の状態にあるか否かを示す患者状態情報を患者状態情報出力装置２０から取得して患者識別情および子機識別情報に関連付けて記憶部１３に記憶する。そして、ナースコール子機１に接続されたナースコール親機１０にて、一斉放送操作部１５の操作により一斉放送を行った場合に、音声入力部１６により一斉放送の音声を入力し、面会謝絶のような特定の状態では無い患者状態情報に関連付けて記憶部１３に記憶されている子機識別情報によって特定されるナースコール子機１に対してのみ入力した音声を出力するようにしている。
【００２８】
これにより、面会謝絶のような特定の状態の患者以外の患者に対してのみ一斉放送が行われるので、面会謝絶のような特定の状態の患者に対しては一斉放送が行われなくなり、静かな環境を提供することができる。
【００２９】
なお、前述した実施形態では、一斉放送操作部１５を操作した場合に、患者状態情報が面会謝絶のような特定の状態ではない患者のナースコール子機１に対してのみ一斉放送が行われているが、これに限定されない。例えば、すべてのナースコール子機１に対して一斉放送を行うための操作部をナースコール親機１０に設置するようにしても良い。
【００３０】
また、前述した実施形態では、一斉放送が行われたナースコール子機１と一斉放送が行われなかったナースコール子機１とをナースコール親機１０では確認することができないが、これを視認可能に表示するようにしても良い。これにより、一斉放送が行われなかった患者については、面会謝絶期間が終了した後に一斉放送の内容を口頭などで伝えることで、漏れのない情報伝達が可能となる。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１    ナースコール子機
２    子機制御部
３    呼出操作部
４    子機インターフェース
５    音声出力部
１０    ナースコール親機
１１    制御部
１２    親機インターフェース
１３    記憶部
１４    報知部
１５    一斉放送操作部
１６    音声入力部
２０    患者状態情報出力装置
【図１】
2015188560.tif 000003